Podtech/llm-jp-corpus-v4-ja_patent huggingface dataset:
【手続補正書】
【提出日】平成20年6月26日(2008.6.26)
【手続補正１】
【補正対象書類名】明細書
【補正対象項目名】特許請求の範囲
【補正方法】変更
【補正の内容】
【特許請求の範囲】
【請求項１】  セルロース繊維材料の捺染方法であって、繊維材料を、式（１）：
【化１】
2004502886.tif 000001
〔式中
Ａは、モノアゾ、ポリアゾ、金属錯体アゾ、アントラキノン、フタロシアニン、ホルマザン又はジオキサジン発色団の基であり、
Ｒ1、Ｒ2及びＲ3は、互いに他から独立して、水素、又は非置換若しくは置換Ｃ1−Ｃ4アルキルであり、
Ｘ1及びＸ2は、ハロゲンであり、
Ｂは、有機架橋員であり、
Ｔは、式（２ａ）、（２ｂ）、（２ｃ）、（２ｄ）、（２ｅ）又は（２ｆ）：、
【化２】
2004502886.tif 000002
の反応性基であり、
Ｒ4は、水素、Ｃ1−Ｃ4アルキル（これは、非置換又はヒドロキシ、スルホ、スルファト、カルボキシ若しくはシアノで置換されている）、又は下記の式：
【化３】
2004502886.tif 000003
（式中、Ｒ5は、下記で定義される）の基であり、
Ｒ5は、水素、ヒドロキシ、スルホ、スルファト、カルボキシ、シアノ、ハロゲン、Ｃ1−Ｃ4アルコキシカルボニル、Ｃ1−Ｃ4アルカノイルオキシ、カルバモイル又は基−ＳＯ2−Ｙであり、
Ｒ6は、水素又はＣ1−Ｃ4アルキルであり、
alk及びalk1は、互いに他から独立して、直鎖状又は分岐鎖状Ｃ1−Ｃ6アルキレンであり、
アリーレン（arylene）は、非置換又はスルホ−、カルボキシ−、ヒドロキシ−、Ｃ1−Ｃ4アルキル−、Ｃ1−Ｃ4アルコキシ−若しくはハロ置換フェニレン又はナフチレン基であり、
Ｙは、ビニル又は基−ＣＨ2−ＣＨ2−Ｕであり、Ｕは、離脱基であり、
Ｙ1は、基−ＣＨ（Ｈａｌ）−ＣＨ2（Ｈａｌ）又は−Ｃ（Ｈａｌ）＝ＣＨ2（ここで、Ｈａｌは、塩素又は臭素である）であり、
Ｗは、基−ＳＯ2−ＮＲ6−、−ＣＯＮＲ6−又は−ＮＲ6ＣＯ−（ここで、Ｒ6は、上記と同義である）であり、
Ｑは、基−Ｏ−又はＮＲ6−（ここで、Ｒ6は、上記と同義である）であり、
ｎは、０又は１の数であり、そして
Ｖ1及びＶ2は、互いに他から独立してＮ、Ｃ−Ｈ、Ｃ−Ｃｌ又はＣ−Ｆである〕で示される反応染料と接触させ、捺染された繊維材料の固着をさらなる固着処理工程を用いないで実施することを含む方法。
【請求項２】  Ｂが、式：−ＣＨ2−ＣＨ（Ｒ7）−（式中、Ｒ7はＣ1−Ｃ4アルキルである）の基である、請求項１記載の方法。
【請求項３】  Ｔが、式（２ｃ′）又は（２ｄ′）：
【化６】
2004502886.tif 000004
（式中、Ｙは、ビニル、β−クロロエチル又はβスルファトエチルである）の基である、請求項１〜２のいずれか１項記載の方法。
【請求項４】  式（１）：
【化７】
2004502886.tif 000005
〔式中、
Ａは、モノアゾ、ポリアゾ、金属錯体アゾ、アントラキノン、フタロシアニン、ホルマザン又はジオキサジン発色団の基であり、
Ｒ1、Ｒ2及びＲ3は、互いに他から独立して、水素、又は非置換若しくは置換Ｃ1−Ｃ4アルキルであり、
Ｘ1及びＸ2は、ハロゲンであり、
Ｂは、−ＮＨ−、−Ｎ（ＣＨ3）−及び−Ｏ−からなる群よりの１、２若しくは３員で中断されてよく、そして非置換又はヒドロキシ、スルホ、スルファト、シアノ若しくはカルボキシで置換されているＣ2−Ｃ12アルキレンであり、
Ｔは、式（２ａ）、（２ｂ）、（２ｃ）、（２ｄ）、（２ｅ）又は（２ｆ）：
【化８】
2004502886.tif 000006
の反応性基であり、
Ｒ4は、水素、Ｃ1−Ｃ4アルキル（これは、非置換又はヒドロキシ、スルホ、スルファト、カルボキシ若しくはシアノで置換されている）、又は下記の式：
【化９】
2004502886.tif 000007
（式中、Ｒ5は、下記で定義される）の基であり、
Ｒ5は、水素、ヒドロキシ、スルホ、スルファト、カルボキシ、シアノ、ハロゲン、Ｃ1−Ｃ4アルコキシカルボニル、Ｃ1−Ｃ4アルカノイルオキシ、カルバモイル又は基−ＳＯ2−Ｙであり、
Ｒ6は、水素又はＣ1−Ｃ4アルキルであり、
alk及びalk1は、互いに他から独立して、直鎖状又は分岐鎖状Ｃ1−Ｃ6アルキレンであり、
アリーレンは、非置換又はスルホ−、カルボキシ−、ヒドロキシ−、Ｃ1−Ｃ4アルキル−、Ｃ1−Ｃ4アルコキシ−若しくはハロ置換フェニレン又はナフチレン基であり、
Ｙは、ビニル又は基−ＣＨ2−ＣＨ2−Ｕであり、Ｕは、離脱基であり、
Ｙ1は、基−ＣＨ（Ｈａｌ）−ＣＨ2（Ｈａｌ）又は−Ｃ（Ｈａｌ）＝ＣＨ2（ここで、Ｈａｌは、塩素又は臭素である）であり、
Ｗは、基−ＳＯ2−ＮＲ6−、−ＣＯＮＲ6−又は−ＮＲ6ＣＯ−（ここで、Ｒ6は、上記と同義である）であり、
Ｑは、基−Ｏ−又はＮＲ6−（ここで、Ｒ6は、上記と同義である）であり、
ｎは、０又は１の数であり、そして
Ｖ1及びＶ2は、互いに他から独立してＮ、Ｃ−Ｈ、Ｃ−Ｃｌ又はＣ−Ｆである〕で示されるが、下記の式：
【化１０】
2004502886.tif 000008
の染料を除く、反応染料。
【請求項５】  請求項４記載の式（１）で示される反応染料を含む捺染のり。
【手続補正書】
【提出日】平成19年11月13日(2007.11.13)
【手続補正１】
【補正対象書類名】明細書
【補正対象項目名】特許請求の範囲
【補正方法】変更
【補正の内容】
【特許請求の範囲】
【請求項１】  伸長剥離性接着テープであって、
相対湿度９８％におけるガラス支持体上の１８０度剥離強度が少なくとも約５．４７Ｎ／ｄｍであるシリコーン感圧接着剤組成物と、
非粘着性タブとを含む伸長剥離性接着テープ。
【請求項２】  前記感圧接着剤組成物が、
ａ）ｉ）分子量が少なくとも５，０００ｇ／モルのポリジオルガノシロキサンジアミンと、
ｉｉ）ポリイソシアネートとの反応生成物を含有するシリコーンポリ尿素ブロックコポリマーと、
ｂ）約３０重量％から約７０重量％のＭＱ樹脂とを含む、請求項１に記載の伸長剥離性接着テープ。
【請求項３】  １ラジアン／秒、−１７℃における弾性率が約１×１０７Ｐａ以下である感圧接着剤組成物と、
非粘着性タブとを含む、伸長剥離性感圧接着テープ。
【請求項４】  多層感圧接着テープであって、
ａ）フォーム支持体を含む基材；
ｂ）該基材の第１表面上に配置された第１シリコーン感圧接着剤組成物であって、相対湿度９８％におけるガラス支持体上の１８０度剥離強度が少なくとも約５．４７Ｎ／ｄｍである第１シリコーン感圧接着剤組成物；および
ｃ）該基材の第２表面上に配置された第２感圧接着剤組成物とを含む多層感圧接着テープ。
【手続補正書】
【提出日】平成20年6月30日(2008.6.30)
【手続補正１】
【補正対象書類名】明細書
【補正対象項目名】特許請求の範囲
【補正方法】変更
【補正の内容】
【特許請求の範囲】
【請求項１】
溶融加工可能な完全フッ素化ポリマー組成物であって、
ａ）（ｉ）テトラフルオロエチレンから誘導された繰返し単位を８０〜９８重量％までと、
（ｉｉ）ヘキサフルオロプロピレンから誘導された繰返し単位を２〜２０重量％までと、
（ｉｉｉ）テトラフルオロエチレンおよびヘキサフルオロプロピレン以外の別のコモノマーから誘導された繰返し単位を０〜５重量％までと、
を含み、
ヘキサフルオロプロピレン単位から誘導された繰返し単位の重量割合が、前記別のコモノマーの繰返し単位の重量割合より大きい、
溶融加工可能なペルフルオロポリマーと、
ｂ）融点が前記フルオロポリマーａ）の融点より少なくとも２０℃高い高分子量の完全フッ素化ポリマーを、ペルフルオロポリマーａ）を基準にして０．０１〜５重量％までと、
を含む溶融加工可能な組成物。
【請求項２】
押出し成形により製造するための、請求項１に記載の溶融加工可能な組成物の使用。
【請求項３】
絶縁体として、請求項１に記載の組成物を含む電気ケーブル。
【手続補正２】
【補正対象書類名】明細書
【補正対象項目名】０００２
【補正方法】変更
【補正の内容】
【０００２】
ＦＥＰフルオロポリマーは、長い間知られてきており（ＵＳ−Ａ−２  ９４６  ７６３）、市販されている。ＦＥＰフルオロポリマーは、優れた耐熱性および耐薬品性を有する過フッ素化（完全フッ素化（perfluorinated））熱可塑性フルオロポリマーである。また、ＦＥＰフルオロポリマーは、低い損失係数（ｄｉｓｓｉｐａｔｉｏｎ ｆａｃｔｏｒ）を有する（ＥＰ−Ａ−４２３  ９９５）。これら全ての特性により、ＦＥＰポリマーは、ケーブルワイヤ絶縁体用の、特に、例えばＬＡＮ（ローカルエリアネットワーク）で使用されるプレナムワイヤケーブルとして既知の物用の絶縁材料として使用するのに重要である。絶縁プレナムケーブルを製造する加工速度は非常に速い。従って、このようなプレナムケーブルを製造するのに使用することができるＦＥＰポリマーは、一般に、必要とする機械的特性を失うことなく高剪断速度で加工できるものである。
【手続補正３】
【補正対象書類名】明細書
【補正対象項目名】０００７
【補正方法】変更
【補正の内容】
【０００７】
本発明に従い、
ａ）（ｉ）テトラフルオロエチレンから誘導された繰返し単位を８０〜９８重量％までと、
（ｉｉ）ヘキサフルオロプロピレンから誘導された繰返し単位を２〜２０重量％までと、
（ｉｉｉ）テトラフルオロエチレンおよびヘキサフルオロプロピレン以外の別のコモノマーから誘導された繰返し単位を０〜５重量％までと、
を含み、ヘキサフルオロプロピレン単位から誘導された繰返し単位の重量割合は、前記別のコモノマーの繰返し単位の重量割合より大きい、溶融加工可能なペルフルオロポリマーと、
ｂ）ペルフルオロポリマーａ）を基準にして、融点がフルオロポリマーａ）の融点より少なくとも２０℃高い高分子量の過フッ素化ポリマー（完全フッ素化ポリマー（perfluorinated polymer））を０．０１〜５重量％までと、
を含む溶融加工可能な過フッ素化ポリマー組成物が提供される。
【手続補正書】
【提出日】平成20年6月30日(2008.6.30)
【手続補正１】
【補正対象書類名】明細書
【補正対象項目名】特許請求の範囲
【補正方法】変更
【補正の内容】
【特許請求の範囲】
【請求項１】  式−Ｘ−Ｓｐ−Ａｌｋで示される少なくとも１つの有機基を結合した顔料を含有する修飾顔料生成物であり、ここでＸは顔料に直接に結合し、アリーレン、ヘテロアリーレンもしくはアルキレン基を示し、Ｓｐはスペーサ基を示し、そしてＡｌｋは５０〜２００の炭素原子を含むアルケニルもしくはアルキル基を示す。
【請求項２】  非水性溶媒ならびに式−Ｘ−Ｓｐ−Ａｌｋで示される少なくとも１つの有機基を結合した顔料を含有する修飾顔料生成物を含有する分散体組成物であり、ここでＸは顔料に直接に結合し、アリーレン、ヘテロアリーレンもしくはアルキレン基を示し、Ｓｐはスペーサ基を示し、そしてＡｌｋは５０〜２００の炭素原子を含むアルケニルもしくはアルキル基を示す。
【請求項３】  ａ）基板および  ｂ）放射線吸収層を含む印刷版であり、放射線吸収層は式−Ｘ−Ｓｐ−Ａｌｋで示される少なくとも１つの有機基を結合した顔料を含む少なくとも１つの修飾顔料生成物を含有し、ここでＸは顔料に直接に結合し、アリーレン、ヘテロアリーレンもしくはアルキレン基を示し、Ｓｐはスペーサ基を示し、Ａｌｋは５０〜２００の炭素原子を含むアルケニルもしくはアルキル基を示す。
【請求項４】  放射線吸収層がさらにポリマーを含有する請求項３記載の印刷版。
【請求項５】  Ｓｐが次の式；
【化３】
2004502856.tif 000001
を有するサクシンイミジル基である請求項１９記載の印刷版であり、ここでＱは結合もしくは-ＳＯ2Ｃ2Ｈ4（ＮＲ'Ａｌｋｙｌｅｎｅ）p−基を示し、基Ａｌｋｙｌｅｎｅは線状もしくは分枝Ｃ1〜Ｃ12アルキル基であり、Ｒ'は、独立して、水素、Ｃ1〜Ｃ6アルキル基、もしくは（ＡｌｋｙｌｅｎｅＮＲ）pＲ基であり、ｐは０〜１０の整数、そしてＲは、同一もしくは異なっていてもよく、水素または置換もしくは非置換アリ−ルもしくはアルキル基を示す。
【請求項６】  パターンを境界づける少なくとも放射線吸収層を選択的に除去もしくは化学的に修飾するべき画像を示すパターンで、印刷版をレーザー出力に選択的に露光させることを含む請求項３記載の印刷版の画像形成方法。
【請求項７】  パターンを境界づける画像形成層の部分を除去することのできる溶媒に印刷版をさらすことをさらに含む請求項６記載の方法。
【請求項８】  ａ）基板、ｂ）ＵＶ硬化性層およびｃ）放射線吸収層を含むフレキソ印刷版であり、放射線吸収層は式−Ｘ−Ｓｐ−Ａｌｋで示される少なくとも１つの有機基を結合した顔料を含む少なくとも１つの修飾顔料生成物を含有し、ここでＸは顔料に直接に結合し、アリーレン、ヘテロアリーレンもしくはアルキレン基を示し、Ｓｐはスペーサ基を示し、Ａｌｋは５０〜２００の炭素原子を含むアルケニルもしくはアルキル基を示す。
【請求項９】  放射線吸収層がさらにポリマーを含有する請求項８記載のフレキソ印刷版。
【請求項１０】  ａ）インク層、ｂ）光熱層およびｃ）支持体を含む感熱転写記録材料であり、光熱層は式−Ｘ−Ｓｐ−Ａｌｋで示される少なくとも１つの有機基を結合した顔料を含む少なくとも１つの修飾顔料生成物を含有し、ここでＸは顔料に直接に結合し、アリーレン、ヘテロアリーレンもしくはアルキレン基を示し、Ｓｐはスペーサ基を示し、Ａｌｋは５０〜２００の炭素原子を含むアルケニルもしくはアルキル基を示す。
【請求項１１】  光熱層がさらにポリマーを含有する請求項１０記載の感熱転写記録材料。
【請求項１２】  ａ）放射線透過支持体、ｂ）放射線硬化性層およびｃ）受容層を含むプルーフィング材料であり、放射線硬化性層は式−Ｘ−Ｓｐ−Ａｌｋで示される少なくとも１つの有機基を結合した顔料を含む少なくとも１つの修飾顔料生成物を含有し、ここでＸは顔料に直接に結合し、アリーレン、ヘテロアリーレンもしくはアルキレン基を示し、Ｓｐはスペーサ基を示し、Ａｌｋは５０〜２００の炭素原子を含むアルケニルもしくはアルキル基を示す。
【請求項１３】  放射線硬化性層がさらにポリマーを含有する請求項１２記載のプルーフィング材料。
【請求項１４】  透明な基板上に感光性コーティングを付着させること、コーティングを画像態様に露光させ、そしてコーティングを現像および乾燥することにより形成されるブラックマトリックスであり、感光性コーティングは溶媒ならびに式−Ｘ−Ｓｐ−Ａｌｋで示される少なくとも１つの有機基を結合した顔料を含有する修飾顔料生成物を含有し、ここでＸは顔料に直接に結合し、アリーレン、ヘテロアリーレンもしくはアルキレン基を示し、Ｓｐはスペーサ基を示し、そしてＡｌｋは５０〜２００の炭素原子を含むアルケニルもしくはアルキル基を示す。
【請求項１５】  さらに感光性樹脂を含有する請求項１４記載のブラックマトリックス。
【請求項１６】  マイクロカプセルの配列を含む電気泳動ディスプレイであり、マイクロカプセルは絶縁流体ならびに式−Ｘ−Ｓｐ−Ａｌｋで示される少なくとも１つの有機基を結合した顔料を含有する修飾顔料生成物を含有し、ここでＸは顔料に直接に結合し、アリーレン、ヘテロアリーレンもしくはアルキレン基を示し、Ｓｐはスペーサ基を示し、そしてＡｌｋは５０〜２００の炭素原子を含むアルケニルもしくはアルキル基を示す。
【請求項１７】  非水性ベヒクルならびに式−Ｘ−Ｓｐ−Ａｌｋで示される少なくとも１つの有機基を結合した顔料を含有する修飾顔料生成物を含有する非水性インクジェット用インク組成物であり、ここでＸは顔料に直接に結合し、アリーレン、ヘテロアリーレンもしくはアルキレン基を示し、Ｓｐはスペーサ基を示し、そしてＡｌｋは５０〜２００の炭素原子を含むアルケニルもしくはアルキル基を示す。
【請求項１８】  非水性コーティング組成物における請求項１記載の修飾顔料生成物の使用。
【請求項１９】  ポリマー組成物における請求項１記載の修飾顔料生成物の使用。
【請求項２０】  非水性インク組成物における請求項１記載の修飾顔料生成物の使用。
【請求項２１】  トナー組成物における請求項１記載の修飾顔料生成物の使用。
【手続補正書】
【提出日】平成20年6月16日(2008.6.16)
【手続補正１】
【補正対象書類名】明細書
【補正対象項目名】特許請求の範囲
【補正方法】変更
【補正の内容】
【特許請求の範囲】
【請求項１】
テトラサイクリン反応状態の治療のために有効な、式Iのミノサイクリン化合物、ならびにそれらの薬学的に許容できる塩、エステル、およびプロドラッグ：
2004502752.tif 000001
式中、R4'、R4''、R7'およびR7''は、各々、低級（C1〜6）アルキルであり、
R9は、アミノ基、置換されてもよいアルキルアミノ基、または置換されてもよいジアルキルアミノ基により置換されているアルキルである。
【請求項２】
R9が、置換または未置換の、アルキルアミノ基またはジアルキルアミノ基によりメチル置換されている、請求項1記載のミノサイクリン化合物。
【請求項３】
R9が、未置換アルキルアミノ基によりメチル置換されている、請求項2記載のミノサイクリン化合物。
【請求項４】
未置換アルキルアミノ基がペンチルアミノである、請求項3記載のミノサイクリン化合物。
【請求項５】
アルキルアミノ基がアリール基で置換されている、請求項2記載のミノサイクリン化合物。
【請求項６】
アリール基が置換または未置換のフェニルである、請求項5記載のミノサイクリン化合物。
【請求項７】
以下からなる群より選択される、請求項1記載の化合物：
2004502752.tif 000002
またはそれらの薬学的に許容できる塩、エステル、およびプロドラッグ。
【請求項８】
2004502752.tif 000003
またはそれらの薬学的に許容できる塩、エステル、およびプロドラッグ
である、請求項1記載の化合物。
【請求項９】
以下からなる群より選択される、請求項1記載の化合物：
2004502752.tif 000004
またはそれらの薬学的に許容できる塩、エステル、およびプロドラッグ。
【請求項１０】
対象に請求項1〜9いずれか一項記載のミノサイクリン化合物を投与し、その結果該対象が治療されることを含む、哺乳動物においてテトラサイクリン反応状態を治療する方法。
【請求項１１】
テトラサイクリン反応状態が細菌感染症である、請求項10記載の方法。
【請求項１２】
細菌感染症が大腸菌に関連している、請求項11記載の方法。
【請求項１３】
細菌感染症が黄色ブドウ球菌に関連している、請求項11記載の方法。
【請求項１４】
細菌感染症が大腸レンサ球菌に関連している、請求項11記載の方法。
【請求項１５】
細菌感染症が、その他のテトラサイクリン抗生物質に対し耐性である、請求項11記載の方法。
【請求項１６】
ミノサイクリン化合物が、薬学的に許容できる担体と共に投与される、請求項10記載の方法。
【請求項１７】
対象がヒトである、請求項10記載の方法。
【請求項１８】
請求項1〜9いずれか一項記載のミノサイクリン化合物の治療有効量および薬学的に許容できる担体を含む、薬学的組成物。
【手続補正書】
【提出日】平成20年7月3日(2008.7.3)
【手続補正１】
【補正対象書類名】明細書
【補正対象項目名】特許請求の範囲
【補正方法】変更
【補正の内容】
【特許請求の範囲】
【請求項１】
２〜６個の糖を含み、かつ少なくとも２つのガラクトースユニットを含有する少なくとも１つのオリゴ糖を含む、皮膚中のβ−エンドルフィン生産を刺激することによって、敏感肌をケアし、皮膚過敏を打ち消し、皮膚の抗刺激効果を提供し、皮膚弛緩効果の提供し、皮膚を滑らかにする作用を提供し、皮膚の鎮静効果を提供するための美容剤。
【請求項２】
前記ガラクトースユニットは、隣接したガラクトースユニットであることを特徴とする、請求項１に記載の美容剤。
【請求項３】
前記ガラクトースユニットは、鎖の末端で隣接したガラクトースユニットであることを特徴とする、請求項１または２に記載の美容剤。
【請求項４】
前記オリゴ糖は、スタキオースであることを特徴とする、請求項１に記載の美容剤。
【請求項５】
前記オリゴ糖は、シセリトール（ｃｉｃｅｒｉｔｏｌ）であることを特徴とする、請求項１に記載の美容剤。
【請求項６】
前記オリゴ糖は、テフロシア（Ｔｅｐｈｒｏｓｉａ）、ダイズ、ヒヨコマメ、ウチワマメおよびヒラマメの抽出物からなる群から選択される植物抽出物から得られることを特徴とする、請求項１に記載の美容剤。
【請求項７】
前記オリゴ糖は、テフロシア・プルプレア（Ｔｅｐｈｒｏｓｉａ ｐｕｒｐｕｒｅａ）種の種子の抽出物から得られることを特徴とする、請求項６に記載の美容剤。
【請求項８】
請求項１ないし７のいずれか１項に記載の少なくともひとつの美容剤を含み、前記オリゴ糖（この場合乾燥重量で表される）は、組成物の総重量に基づいて、０．０００１重量％〜１０重量％の濃度で存在することを特徴とする、皮膚中のβ−エンドルフィン生産を刺激することによって、敏感肌をケアし、皮膚過敏を打ち消し、皮膚の抗刺激効果を提供し、皮膚弛緩効果の提供し、皮膚を滑らかにする作用を提供し、皮膚の鎮静効果を提供するための化粧品組成物。
【請求項９】前記オリゴ糖（この場合乾燥重量で表される）は、組成物の総重量に基づいて、０．０１重量％〜５重量％の濃度で存在することを特徴とする、請求項８に記載の化粧品組成物。
【請求項１０】
前記オリゴ糖は、ビタミンＡおよびパルミチン酸ビタミンＡを含むそのエステル、サリチル酸または乳酸、グリコール酸、もしくはリンゴ酸を含むα−ヒドロキシ酸、キハダ（Ｐｈｅｌｌｏｄｅｎｄｒｏｎ ａｍｕｒｅｎｓｅ）植物またはインドセンダン（Ａｚａｄｉｒａｃｈｔａ ｉｎｄｉｃａ）植物の抽出物のような酵素ＰＬＡ２（ホスホリパーゼＡ２）の阻害剤、１８β−グリシレチン酸、ヨウカンゾウ（Ｇｌｙｃｙｒｒｈｉｚａ ｇｌａｂｒａ）植物の抽出物のような抗炎症活性を有する物質、グリカンのような免疫調節活性を有する物質、ラウリル硫酸塩の類の界面活性剤、オキシアカンチンまたはセファランチンを含むビスベンジルイソキノリンのようなアルカロイド物質、イチョウ葉（Ｇｉｎｇｋｏ ｂｉｌｏｂａ）抽出物のようなＰＡＦ（血小板活性化因子）阻害剤、およびＰＧＥ２（ポリエチレングリコール２）酵素の阻害剤からなる群から選択される、別の化粧品上許容可能な活性物質と組み合わせられることを特徴とする、請求項８または９に記載の化粧品組成物。
【手続補正書】
【提出日】平成19年11月27日(2007.11.27)
【手続補正１】
【補正対象書類名】明細書
【補正対象項目名】特許請求の範囲
【補正方法】変更
【補正の内容】
【特許請求の範囲】
【請求項１】  経口投与による有効成分の吸収を向上させるための粒子状担体であって、少なくとも1つの生物分解性ポリマーと少なくとも1つのポリカチオン性ポリマーを含むポリマー・マトリックスから形成され、かつ、当該生物分解性ポリマーと当該ポリカチオン性ポリマーが等量で存在することを特徴とする粒子状担体。
【請求項２】  非腸溶性の前記生物分解性ポリマーが、ポリエステル（中でも乳酸ポリマー）、乳酸とグリコール酸のコポリマー（PLGA）、ポリ-ε-カプロラクトン（PCL）、ポリ無水物、ポリ（アミド）、ポリ（ウレタン）、ポリ（カーボネート）、ポリ（アセタール）、ポリ（オルトエステル）、及び天然ポリマーから成る群から選択される、請求項1に記載の粒子状担体。
【請求項３】  前記生物分解性ポリマーが、PCL又はPLGAのいずれかであり、当該ポリマーの分子量が2,000〜100,000の間にある、請求項2に記載の粒子状担体。
【請求項４】  前記ポリカチオン性ポリマーが、セルロース誘導体、レーム社からオイドラギット（Eudragit（登録商標））の名称で市販されているアクリル酸エステルとメタクリル酸エステルのコポリマー、特にトリメチルアンモニオエチルメタクリレートの塩化物がわずかに含まれたメタクリル酸ポリエステル（オイドラギット（登録商標）RS）またはトリメチルアンモニオエチルメタクリレートの塩化物がそれよりも多く含まれたメタクリル酸ポリエステル（オイドラギット（登録商標）RL）、キトサンとその誘導体、ポリリジンから成る群から選択される、請求項1〜3のいずれか1項に記載の粒子状担体。
【請求項５】  ナノ粒子又はマイクロ粒子の形態である、請求項1〜4のいずれか1項に記載の粒子状担体。
【請求項６】  直径50〜1,000ｎｍの間のナノ粒子の形態にある、請求項5に記載の粒子状担体。
【請求項７】  直径200〜400ｎｍの間のナノ粒子の形態にある、請求項6に記載の粒子状担体。
【請求項８】  直径1〜1,000μｍの間のマイクロ粒子の形態にある、請求項5に記載の粒子状担体。
【請求項９】  直径50〜200μｍの間のマイクロ粒子の形態にある、請求項8に記載の粒子状担体。
【請求項１０】  腸溶性ポリマー、水溶性又は油溶性の物質から成る群から選択される1つ又は複数の物質をさらに含む、請求項1〜9のいずれか1項に記載の粒子状担体。
【請求項１１】  前記有効成分が、ヘパリンとその類似物、低分子ヘパリンとその類似物、ペプチド、並びにタンパク質から成る群から選択される、請求項1〜7のいずれか1項に記載の粒子状担体。
【請求項１２】  前記有効成分がヘパリンである、請求項11に記載の粒子状担体。
【請求項１３】  請求項1〜12のいずれか1項に記載の少なくとも1つの粒子状担体と薬理学的に許容される任意の添加剤とを含む医薬組成物。
【請求項１４】  経口投与に好適な形態に調製されている、請求項13に記載の医薬組成物。
【請求項１５】  ジェルカプセル、錠剤、顆粒、サシェ又は凍結乾燥物の形態に調製されている、請求項14に記載の医薬組成物。
【請求項１６】  医薬の製造のための、請求項1〜12のいずれか1項に記載の粒子状担体の使用。
【請求項１７】  タンパク質、ペプチド、ヘパリンとその類似物、及び低分子ヘパリンとその類似物の経口投与のための医薬の製造のための、請求項16に記載の粒子状担体の使用。
【手続補正書】
【提出日】平成20年6月11日(2008.6.11)
【手続補正１】
【補正対象書類名】明細書
【補正対象項目名】特許請求の範囲
【補正方法】変更
【補正の内容】
【特許請求の範囲】
【請求項１】
原発性および続発性腫瘍の予防および／または抑制のための医薬組成物であって、下記一般式(I)で表される脂肪酸類似体、またはその塩、プロドラッグ若しくは複合体を含んでなる、医薬組成物：
Ｒ１−［ｘｉ−ＣＨ２］ｎ−ＣＯＯＲ２   (I)
（上記式中、
Ｒ１は１個以上の二重結合を有するおよび／または１個以上の三重結合を有する
Ｃ１〜Ｃ２４アルケン、および／または
Ｃ１〜Ｃ２４アルキン、および／または
Ｃ１〜Ｃ２４アルキル、または１または数個の位置においてフルオリド、クロリド、ヒドロキシ、Ｃ１〜Ｃ４アルコキシ、Ｃ１〜Ｃ４アルキルチオ、Ｃ２〜Ｃ５アシルオキシまたはＣ１〜Ｃ４アルキルを含んでなる群から選択された１個以上の化合物で置換されたアルキルであり、
Ｒ２は水素またはＣ１〜Ｃ４アルキルであり、
ｎは１〜１２の整数であり、
ｉは奇数であり、ＣＯＯＲ２に対する位置を示し、
互いに独立なＸｉは、Ｏ、Ｓ、ＳＯ、ＳＯ２、Ｓｅ、およびＣＨ２からなる群から選択され、
但し、Ｘｉの少なくとも１個はＣＨ２ではない）。
【請求項２】
化合物がテトラデシルチオ酢酸である、請求項１に記載の医薬組成物。
【請求項３】
化合物がテトラデシルセレノ酢酸である、請求項１に記載の医薬組成物。
【請求項４】
腫瘍の成長を抑制するための、請求項１に記載の医薬組成物。
【請求項５】
原発性腫瘍の結合組織への侵襲を抑制するための、請求項１に記載の医薬組成物。
【請求項６】
腫瘍の転移特性の抑制のための、すなわち続発性腫瘍の形成を抑制するための、請求項１に記載の医薬組成物。
【請求項７】
腫瘍を有する哺乳類の全般的生存率を増加させるための、請求項１に記載の医薬組成物。  
【請求項８】
脂肪酸類似体を、その治療上有効濃度がその投与期間中に哺乳類の血液中で実質的に連続的に保持されるように投与するための、請求項１〜７のいずれか一項に記載の医薬組成物。
【請求項９】
単位投与形態である、請求項１〜８のいずれか一項に記載の医薬組成物。
【手続補正書】
【提出日】平成20年2月29日(2008.2.29)
【手続補正１】
【補正対象書類名】明細書
【補正対象項目名】特許請求の範囲
【補正方法】変更
【補正の内容】
【特許請求の範囲】
【請求項１】  開放性傷口を覆う方法において、包帯に施された抗菌効果可能な量のＰＨＭＢを有するセルロース系包帯にて傷口に接触するステップを備える、開放性傷口を覆う方法。
【請求項２】  請求項１の方法において、中間層を必要とせずに開放性傷口にセルロース系包帯にて直接接触するステップを更に備える、方法。
【請求項３】  請求項１の方法において、包帯に施された抗菌効果可能な量のＰＨＭＢが１５００乃至２５００ｐｐｍの範囲にある、方法。
【請求項４】  請求項１の方法において、セルロース系包帯が５０％乃至１００％セルロース系である、方法。
【請求項５】  請求項１の方法において、セルロース系包帯が島保護帯である、方法。
【請求項６】  請求項１の方法において、セルロース系包帯がスポンジである、方法。
【請求項７】  請求項１の方法において、セルロース系包帯が巻軸包帯である、方法。
【請求項８】  抗菌性を有する傷口保護帯を製造する方法において、
Ａ）セルロース系材料の少なくとも１つの巻いたビームを提供するステップと、
Ｂ）前記セルロース系材料のビームを包み囲まれた容器内に挿入するステップと、
Ｃ）ＰＨＭＢを容器内に追加することにより、容器に添加されたＰＨＭＢの量が全体水量の０．１％乃至０．８％の範囲にあるようにするステップと、
Ｄ）ＰＨＭＢを所定の時間、循環させるステップとを備える、抗菌性を有する傷口保護帯を製造する方法。
【請求項９】  請求項８の方法において、少なくとも１つの材料のビームが有孔ドラムに巻かれ、ＰＨＭＢが有孔ドラムを通じて容器内に添加される、方法。
【請求項１０】  請求項９の方法において、ＰＨＭＢを容器内に添加する前記ステップの前に、前記材料のビームを漂白するステップを更に備える、方法。
【請求項１１】  請求項１０の方法において、前記漂白するステップが、漂白剤を有孔ドラムを通じて容器内に圧送することにより行われる、方法。
【請求項１２】  請求項１０の方法において、前記漂白するステップの後で且つＰＨＭＢを容器内に添加する前記ステップの前に、前記材料のビームを化学的にリンスするステップを更に備える、方法。
【請求項１３】  請求項１２の方法において、前記リンスステップの後で且つＰＨＭＢを容器内に添加する前記ステップの前に、包み囲まれた容器に水を充填するステップを更に備える、方法。
【請求項１４】  請求項８の方法において、前記循環するステップが約１５乃至４５分間、行われる、方法。
【請求項１５】  請求項１４の方法において、前記循環するステップが約３０分間、行われる、方法。
【請求項１６】  請求項１５の方法において、ＰＨＭＢを添加する前記ステップの間、容器に添加されるＰＨＭＢの量が全体水量の約０．６７％である、方法。
【請求項１７】  請求項８の方法において、廃水を工場の廃水システム内に排水するステップを更に備える、方法。
【請求項１８】  請求項８の方法において、
Ａ）前記セルロース系材料のビームを包み囲まれた容器から除去するステップと、
Ｂ）更なる加工のため前記セルロース系材料を巻き戻すステップとを備える、方法。
【請求項１９】  請求項８の方法において、ＰＨＭＢを循環させる前記ステップが、ＰＨＭＢを有孔ドラムを通じ且つ半径方向外方向に向けることにより行われる、方法。
【請求項２０】  請求項８の方法によって製造された製品。
【請求項２１】  抗菌効果可能な量のＰＨＭＢから基本的に成るセルロース系傷口保護帯。
【請求項２２】  請求項２１のセルロース系傷口保護帯において、セルロース系傷口保護帯に施される抗菌効果可能な量のＰＨＭＢが、１５００乃至２５００ｐｐｍの範囲にある、セルロース系傷口保護帯。
【請求項２３】  請求項２１のセルロース系傷口保護帯において、５０％乃至１００％セルロース系である、セルロース系傷口保護帯。
【請求項２４】  請求項２１のセルロース系傷口保護帯において、島保護帯である、セルロース系傷口保護帯。
【請求項２５】  請求項２１のセルロース系傷口保護帯において、スポンジである、セルロース系傷口保護帯。
【請求項２６】  請求項２１のセルロース系傷口保護帯において、巻軸包帯である、セルロース系傷口保護帯。
【手続補正書】
【提出日】平成20年6月5日(2008.6.5)
【手続補正１】
【補正対象書類名】明細書
【補正対象項目名】特許請求の範囲
【補正方法】変更
【補正の内容】
【特許請求の範囲】
【請求項１】  皮膚ダメージを処置又は予防するために使用する場合の組成品であって、該組成品が有効量の塩基性ミルクファクター又はその変異体を含み、該組成品が上皮、表皮又は真皮組織を再生及び／又は保護する能力を持つ組成品。
【請求項２】  処置又は保護が老化した皮膚外観を軽減する請求項第１項記載の組成品。
【請求項３】  処置対象の皮膚が実質的に無傷である請求項第１又は２項記載の組成品。
【請求項４】  塩基性ミルクファクターがラットＬ６筋芽細胞の増殖を刺激できる請求項第１〜３項のいずれかに記載の組成品。
【請求項５】  塩基性ミルクファクターが乳製品をカチオン交換クロマトグラフィーに供することによって調製されたものである請求項第１〜４項のいずれかに記載の組成品。
【請求項６】  乳製品が、ミルクホエー、スキムミルク、初乳ホエー、チーズホエー及び酸ホエーから成る群から選択されたものである請求項第５項記載の組成品。
【請求項７】  乳製品が有蹄類に由来する請求項第６項記載の組成品。
【請求項８】  塩基性ミルクファクターがＢＭＦ−１及び／又はＢＭＦ−２である請求項第１〜７項のいずれかに記載の組成品。
【請求項９】  塩基性ミルクファクターが塩基性から約中性の等電点を有する多数の細胞増殖刺激因子を含む請求項第１〜８項に記載の組成品。
【請求項１０】  細胞増殖刺激因子がＩＧＦ−１、ＩＧＦ−２、ＰＤＧＦ、ＦＧＦ及びＴＧＦβから成る群から選択される請求項第９項記載の組成品。
【請求項１１】  通常の溶媒、分散媒、フィラー、水溶液、サンスクリーン、抗菌及び抗真菌剤、又は吸収促進剤を単独で、又は組み合わせて含む請求項第１〜１０項のいずれかに記載の組成品。
【請求項１２】  さらに増殖因子、ビタミンＡ、ビタミンＣ、ビタミンＥ、ジメチルスルフォキサイド、レチノイン酸、銅−ペプチド錯体、α−ケト酸、ラノリン、ワセリン、アロエベラ、メチル又はプロピルパラベン又は顔料を、単独で、又は組み合わせて含む請求項第１〜１１項のいずれかに記載の組成品。
【請求項１３】  組成品が美容上許容されるリキッド、クリーム、オイル、ローション、軟膏、ジェル、ロールオンリキッド、スキンパッチ、スプレー、塩基性ミルクファクターをしみこませたガラスビーズドレッシング、塩基性ミルクファクターをしみこませた合成ポリマードレッシング、ソリッド、普通美容ナイトクリーム、ファウンデーションクリーム、サンタンローション、ハンドローション、メークアップ、メークアップベース及びマスクから成る群から選択される形態である請求項第１〜１２項のいずれかに記載の組成品。
【請求項１４】  皮膚外観の老化の進行を抑制し、あるいは、皮膚外観の老化の発症又は進行をすべて停止させるのに有効な有効量の塩基性ミルクファクターを含む請求項１〜１３項のいずれかに記載の組成品。
【請求項１５】  皮膚ダメージの処置又は予防用組成品の製造のための塩基性ミルクファクター又はその変異体の使用であって、該組成品が上皮、表皮又は真皮組織を再生及び／又は保護する能力を有する使用。
【請求項１６】  皮膚が実質的に無傷である請求項第１５項記載の使用。
【請求項１７】  処置又は予防が皮膚外観の老化を軽減する請求項第１５又は１６項記載の使用。
【請求項１８】  請求項第１〜１４項のいずれかに記載の組成品を調製する請求項第１５〜１７項記載の使用。
【請求項１９】  皮膚ダメージを処置又は予防する方法で、その方法が請求項第１〜１４項のいずれかに記載の組成品の有効量を必要とする哺乳動物に投与することを含み、その場合、処置又は予防が上皮、表皮又は真皮組織の再生及び／又は保護を含む方法。
【請求項２０】  処置又は予防が皮膚外観の老化を軽減する請求項第１９項記載の方法。
【請求項２１】  皮膚が実質的に無傷である請求項第１９又は２０項記載の方法。
【請求項２２】  皮膚のダメージが正常な生物学的老化、環境因子、皮膚病、内科的処置、外科的処置又は疾病の結果である請求項第１９〜２１項のいずれかに記載の方法。
【請求項２３】  環境因子が食品の不衛生、毒素曝露、汚染物質曝露、電離放射線、Ｘ線、ＵＶ光、太陽、喫煙、アルコール及びストレスから成る群から選択される請求項第２２項記載の方法。
【請求項２４】  皮膚病が座瘡（アクネ）状態、尋常性座瘡（にきび）、酒さ性座瘡（ａｃｎｅ  ｒｏｓａｃｅａ）、角化座瘡、放射線皮膚病（ａｃｔｉｎｏｄｅｍａｔｏｓｉｓ）、血管腫、銀沈着症（ａｒｇｙｉａ）、肝斑、ダリエ（Ｄａｒｉｅｒ）病、着色異常、ほくろ、メラノーマ、母斑、放射線皮膚炎、鼻瘤、ライテス（ｒｈｙｔｅｓ）及び皺（ｒｈｙｔｉｄｅｓ）、皮脂腺腫、皮脂嚢胞、脂漏性角化症、表在性基底細胞癌、毛細血管拡張症及び毛包上皮腫から成る群から選択される請求項第２２又は２３項記載の方法。
【請求項２５】  疾病が先天性外胚葉異形成、糖尿病、ＨＩＶ感染症、ＡＩＤＳ関連感染症、栄養欠乏、腎臓病、閉経、劣性栄養障害型表皮水疱症、Ｅｈｌｅｒｓ  Ｄａｎｌｏｓ症候群、全身性皮膚萎縮、限局性皮膚萎縮、瘢痕性脱毛、壊疽性膿皮症又はホルモン変化の単独又はこれらの併発である請求項第２２〜２４項のいずれかに記載の方法。
【請求項２６】  皮膚が実質的に無傷である請求項第１９〜２５項記載の方法。
【請求項２７】  皮膚外観の老化が皺、しみ、色素過剰、皮膚の厚みの変化、乾燥、肌荒れの単独又はこれらの併発の結果である請求項第１９〜２６項のいずれかに記載の方法。
【請求項２８】  組成品を局所投与する請求項第１９〜２７項のいずれかに記載の方法。
【手続補正書】
【提出日】平成20年7月9日(2008.7.9)
【手続補正１】
【補正対象書類名】明細書
【補正対象項目名】特許請求の範囲
【補正方法】変更
【補正の内容】
【特許請求の範囲】
【請求項１】  内耳感覚有毛細胞を損傷させ、損傷された内耳感覚有毛細胞と接触している支持細胞からの一以上の新規な内耳感覚有毛細胞の形成を促進するために使用される第一の医薬の調製における、抗生物質、化学療法剤、ポリ−Ｌ−リジンおよび塩化マグネシウムからなる群から選択される化学的薬剤の使用、および
新規な内耳感覚有毛細胞の形成を更に刺激するために前記内耳支持細胞に導入される第二の医薬の調製における、内耳支持細胞で活性な細胞周期阻害剤の阻害剤の使用。
【請求項２】
前記支持細胞が、ヘンゼン細胞、ダイテルス細胞、内柱細胞、境界細胞、外柱細胞からなる群から選択される、請求項１に記載の使用。
【請求項３】
前記化学的薬剤が抗生物質である、請求項１または２に記載の使用。
【請求項４】
前記抗生物質がアミノグリコシドである、請求項３に記載の使用。
【請求項５】
前記第一の医薬をインビトロにおいて使用する場合、前記抗生物質の濃度が０．０１ｍＭ乃至１０ｍＭである、請求項３に記載の使用。
【請求項６】
前記第一の医薬をインビボにおいて使用する場合、前記抗生物質の濃度が１００ｍｇ／ｋｇ／ｄ乃至１０００ｍｇ／ｋｇ／ｄである、請求項３に記載の使用。
【請求項７】
前記化学的薬剤が、シスプラチン、カルボプラチン、およびメトトレキサートからなる群から選択される化学療法剤であり、前記第一の医薬をインビトロにおいて使用する場合、前記化学的薬剤の濃度が０．０１ｍＭ乃至０．１ｍＭであり、または前記第一の医薬をインビボにおいて使用する場合、前記化学的薬剤の濃度が５ｍｇ／ｋｇ／ｄ乃至１０ｍｇ／ｋｇ／ｄである、請求項１に記載の使用。
【請求項８】
前記化学的薬剤が、ポリ−Ｌ−リジンおよび塩化マグネシウムからなる群から選択され、前記第一の医薬をインビトロにおいて使用する場合、ポリ−Ｌ−リジンの濃度が０．１ｍＭ乃至１．０ｍＭであり、塩化マグネシウムの濃度が５ｍＭ乃至１００ｍＭの範囲である、請求項１に記載の使用。
【請求項９】
前記第一の医薬が注射によって内耳に送達されるのに適している、請求項１に記載の使用。
【請求項１０】
前記第一の医薬がカニューレを通じて内耳に送達されるのに適している、請求項１に記載の使用。
【請求項１１】
前記細胞周期阻害剤の阻害剤がアンチセンス核酸分子である、請求項１に記載の使用。
【請求項１２】
前記アンチセンス核酸分子が、ストリンジェントな条件下で、ｐ５７Ｋｉｐ２、ｐ２７Ｋｉｐ１、ｐ２１Ｃｉｐ１、ｐ１９Ｉｎｋ４ｄ、ｐ１８Ｉｎｋ４ｃ、ｐ１５Ｉｎｋ４ｂ、及びｐ１６Ｉｎｋ４ａからなる群から選択される細胞周期阻害剤をコードする核酸分子にハイブリダイズする、請求項１１に記載の使用。
【請求項１３】
前記アンチセンス核酸分子が、５５℃での２×ＳＳＣを超えるハイブリダイゼーションストリンジェンシー下で、配列番号６、８、１０、１２、１４、１６、及び１８からなる群から選択される核酸配列を含む核酸分子にハイブリダイズする、請求項１２に記載の使用。
【請求項１４】
内耳の聴覚機能を改善するための医薬の調製における、抗生物質、化学療法剤、ポリ−Ｌ−リジンおよび塩化マグネシウムからなる群から選択される化学的薬剤を含み、かつ内耳支持細胞で活性な細胞周期阻害剤の阻害剤を含む組成物の使用。
【請求項１５】
前記第一の医薬が前記第二の医薬と合体している、請求項１に記載の使用。
【請求項１６】
支持細胞からの一以上の新規な内耳感覚有毛細胞の形成を促進するための医薬の調製における、内耳支持細胞で活性な細胞周期阻害剤の阻害剤を含む組成物の使用。
【請求項１７】
抗生物質、化学療法剤、ポリ−Ｌ−リジンおよび塩化マグネシウムからなる群から選択される化学的薬剤により損傷された支持細胞からの一以上の新規な内耳感覚有毛細胞の形成を促進するための医薬の調製において前記組成物を使用する、請求項１６に記載の使用。
【請求項１８】
前記細胞周期阻害剤の阻害剤が核酸分子である、請求項１６に記載の使用。
【請求項１９】
前記核酸分子が、ストリンジェントな条件下で、ｐ５７Ｋｉｐ２、ｐ２７Ｋｉｐ１、ｐ２１Ｃｉｐ１、ｐ１９Ｉｎｋ４ｄ、ｐ１８Ｉｎｋ４ｃ、ｐ１５Ｉｎｋ４ｂ、及びｐ１６Ｉｎｋ４ａからなる群から選択される細胞周期阻害剤をコードする核酸分子にハイブリダイズする、請求項１８に記載の使用。
【請求項２０】
前記核酸分子が、５５℃での２×ＳＳＣを超えるハイブリダイゼーションストリンジェンシー下で、配列番号６、８、１０、１２、１４、１６、及び１８からなる群から選択される核酸配列を含む核酸分子にハイブリダイズする、請求項１９に記載の使用。
【請求項２１】
内耳の聴覚機能を改善させるための医薬であって、一以上の新規な内耳支持細胞の形成を促進する条件下で、第一の内耳支持細胞を損傷させるために使用される医薬の調製における、抗生物質、化学療法剤、ポリ−Ｌ−リジンおよび塩化マグネシウムからなる群から選択される化学的薬剤の使用。
【請求項２２】
新規な内耳感覚有毛細胞の形成を更に刺激するために内耳支持細胞に導入される第二の医薬の調製における、内耳支持細胞で活性な細胞周期阻害剤の阻害剤の使用を更に含む、請求項２１に記載の使用。
【手続補正書】
【提出日】平成20年7月10日(2008.7.10)
【手続補正１】
【補正対象書類名】明細書
【補正対象項目名】特許請求の範囲
【補正方法】変更
【補正の内容】
【特許請求の範囲】
【請求項１】  ヒアルロナンおよび少なくとも一つの化学治療剤を含む、細胞増殖性障害の治療用キット。
【請求項２】  ヒアルロナンが化学治療剤の投与の少なくとも３０分前に投与される、請求項１記載のキット。
【請求項３】  ヒアルロナンのモーダル分子量が658ダルトン〜1,500,000ダルトンである、請求項１記載のキット。
【請求項４】  ヒアルロナンのモーダル分子量が700,000ダルトンである、請求項３記載のキット。
【請求項５】  ヒアルロナンのモーダル分子量が750,000ダルトンである、請求項３記載のキット。
【請求項６】  ヒアルロナンのモーダル分子量が1,500,000ダルトンである、請求項３記載のキット。
【請求項７】  細胞増殖性障害が乳癌、肺癌、前立腺癌、腎臓癌、皮膚癌、神経癌、卵巣癌、子宮癌、肝臓癌、膵癌、上皮癌、胃癌、腸癌、外分泌腺癌、内分泌腺癌、リンパ性癌、造血系の癌または頭部および頚部組織の癌からなる群から選択される、請求項１記載のキット。
【請求項８】  化学治療剤のバイオアベイラビリティーが高められる、請求項１記載のキット。
【請求項９】  化学治療剤がカルムスチン（ＢＣＮＵ）、クロラムブシル（ロイケラン）、シスプラチン（プラチノール）、シタラビン、ドキソルビシン（アドリアマイシン）、5-フルオロウラシル（５−ＦＵ）、メトトレキセート（メクサート）、イリノテカン（ＣＰＴ−１１）、エトポシド、プリアマイシン（ミトラシン）およびタキサンからなる群から選択される、請求項１記載のキット。
【請求項１０】  化学治療剤が5-フルオロウラシル（５−ＦＵ）である、請求項９記載のキット。
【請求項１１】  化学治療剤がイリノテカンである、請求項９記載のキット。
【請求項１２】  化学治療剤がドキソルビシンである、請求項９記載のキット。
【請求項１３】  化学治療剤の投与が経口、非経口または局所であり、ヒアルロナンの投与が経口、非経口または局所である、請求項１記載のキット。
【請求項１４】  非経口投与が皮下注射、エアロゾル、静脈内、筋肉内、くも膜下腔内、頭蓋内、胸骨内注射または注入技術のいずれかによるものである、請求項１３記載のキット。
【請求項１５】  化学治療剤およびヒアルロナンの両方の投与が経口、非経口または局所である、請求項１３記載のキット。
【請求項１６】  化学治療剤およびヒアルロナンの投与がそれぞれ経口および非経口または経口および局所または非経口および経口または非経口および局所または局所および経口または局所および非経口投与などのように異なる、請求項１３記載のキット。
【請求項１７】  ヒアルロナンが化学治療剤の投与の２４時間〜３０分前に投与される、請求項１記載のキット。
【請求項１８】  ヒアルロナンが化学治療剤の投与の２４時間〜１時間前に投与される、請求項１記載のキット。
【請求項１９】  ヒアルロナンが化学治療剤の投与の１２時間〜３０分前に投与される、請求項１記載のキット。
【請求項２０】  ヒアルロナンの量が0.5 mg〜150 mg／体重キログラム／日である、請求項１記載のキット。
【請求項２１】  ヒアルロナンの量が5 mg〜40 mg／体重キログラム／日である、請求項１記載のキット。
【請求項２２】  癌の治療用である、請求項１記載のキット。
【請求項２３】  細胞増殖性障害を治療するための医薬の製造におけるヒアルロナン（ＨＡ）および化学治療剤の使用。
【請求項２４】  ＨＡが化学治療剤の投与の少なくとも３０分前に投与される、請求項２３記載の使用。
【請求項２５】  ＨＡが約658ダルトン〜1,500,000ダルトンのモーダル分子量を有する、請求項２３記載の使用。
【請求項２６】  ＨＡのモーダル分子量が約700,000ダルトンである、請求項２５記載の使用。
【請求項２７】  ＨＡのモーダル分子量が約750,000ダルトンである、請求項２５記載の使用。
【請求項２８】  ＨＡが約1,500,000ダルトンのモーダル分子量を有する、請求項２３記載の使用。
【請求項２９】  細胞増殖性障害が乳癌、肺癌、前立腺癌、腎臓癌、皮膚癌、神経癌、卵巣癌、子宮癌、肝臓癌、膵癌、上皮癌、胃癌、腸癌、外分泌腺癌、内分泌腺癌、リンパ性癌、造血系の癌、頭部または頚部組織の癌からなる群から選択される、請求項２３記載の使用。
【請求項３０】  化学治療剤がカルムスチン（ＢＣＮＵ）、クロラムブシル（ロイケラン）、シスプラチン（プラチノール）、シタラビン、ドキソルビシン（アドリアマイシン）、5-フルオロウラシル（５−ＦＵ）、メトトレキセート（メクサート）、イリノテカン（ＣＰＴ−１１）、エトポシド、プリアマイシン（ミトラシン）およびタキサンからなる群から選択される、請求項２３記載の使用。
【請求項３１】  ＨＡの投与が経口、非経口または局所であり、化学治療剤の投与が経口、非経口または局所である、請求項２３記載の使用。
【請求項３２】  非経口投与が皮下注射、エアロゾル、静脈内、筋肉内、くも膜下腔内、頭蓋内、胸骨内注射または注入技術によるものである、請求項３１記載の使用。
【請求項３３】  ＨＡが化学治療剤の投与の２４時間〜３０分前に投与される、請求項２３記載の使用。
【請求項３４】  ＨＡが化学治療剤の投与の２４時間〜１時間前に投与される、請求項２３記載の使用。
【請求項３５】  ＨＡが化学治療剤の投与の１２時間〜３０分前に投与される、請求項２３記載の使用。
【手続補正書】
【提出日】平成20年7月2日(2008.7.2)
【手続補正１】
【補正対象書類名】明細書
【補正対象項目名】請求項１
【補正方法】変更
【補正の内容】
【請求項１】
式ＭＬａＸｂＳｃ
（ここで、Ｍはロジウム及びルテニウムから選ばれる遷移金属であり、Ｘは対イオンでありかつＳはリガンドであり、ａは０．５〜３の範囲でありかつｂ及びｃは夫々独立して０〜２の範囲である）
により示される非対称（移動）水素化のための触媒において、Ｌが式（Ｉ）
【化１】
2004502543.tif 000001
（ここで、Ｃｎは２個のＯ原子及びＰ原子と一緒になって２〜４個のＣ原子を持つ置換された又は置換されていない環を形成し、Ｒ１及びＲ２は夫々独立して、Ｈ、置換されていてもよいアルキル、アリール、アルカリール又はアラルキル基を示し、又はそれらが結合されるＮ原子と一緒になって複素環を形成することができる）
を有する鏡像体に富んだキラル単座リガンドであることを特徴とする触媒。
【手続補正２】
【補正対象書類名】明細書
【補正対象項目名】請求項８
【補正方法】変更
【補正の内容】
【請求項８】
水素ドナー及び触媒の存在下にオレフィン性不飽和化合物、ケトン、イミン又はオキシム誘導体を非対称（移動）水素化するための方法であって、式ＭＬａＸｂＳｃにより示される触媒が使用されるところの方法において（ここで、Ｍはロジウム、イリジウム及びルテニウムから選ばれる遷移金属であり、かつＸは対イオンでありかつＳはリガンドであり、ａは０．５〜３の範囲でありかつｂ及びｃは夫々独立して０〜２の範囲である）、Ｌが式（Ｉ）
【化２】
2004502543.tif 000002
（ここで、Ｃｎは２個のＯ原子及びＰ原子と一緒になって２〜４個のＣ原子を持つ置換された又は置換されていない環を形成し、かつＲ１及びＲ２は夫々独立して、Ｈ、置換されていてもよいアルキル、アリール、アルカリール又はアラルキル基を示し、又はそれらが結合されるＮ原子と一緒になって複素環を形成することができる）
の鏡像体に富んだキラル単座リガンドであることを特徴とする方法。
【手続補正３】
【補正対象書類名】明細書
【補正対象項目名】０００５
【補正方法】変更
【補正の内容】
【０００５】
【課題を解決するための手段】
本発明によれば、これは、式ＭＬａＸｂＳｃにより示される触媒により達成され、ここで、Ｍはロジウム及びルテニウムから選ばれる遷移金属であり、Ｌは式（Ｉ）
【化３】
2004502543.tif 000003
を有する鏡像体に富んだキラル単座リガンドであり、ここで、Ｃｎは二つのＯ原子及びＰ原子と一緒になって２〜４個のＣ原子を持つ置換された又は置換されていない環を形成し、Ｒ１及びＲ２は夫々独立して、Ｈ、任意的に置換されていてもよいアルキル、アリール、アラルキル又はアルカリール基を示し、又はそれらが結合されるＮ原子と一緒になって（複素）環を形成することができ、Ｘは対イオンであり、かつＳはリガンドであり、ａは０．５〜３の範囲であり、ｂ及びｃは夫々独立して０〜２の範囲である。好ましくはＲ１及びＲ２は夫々独立して、アルキル基、例えば、１〜６個のＣ原子、とりわけ１〜３個のＣ原子を持つアルキル基を示し、最も好ましくはＲ１及びＲ２はメチル基を示す。アルキル、アリール、アラルキル及びアルカリール基は、好ましくは１〜２０個のＣ原子を有し、かつ例えば、一つ以上のヒドロキシ、アルコキシ、ニトリル又はカルボン酸エステル基又はハロゲンで任意的に置換され得る。Ｒ１及び／又はＲ２はポリマー骨格の一部であり得る。
【手続補正４】
【補正対象書類名】明細書
【補正対象項目名】００１７
【補正方法】変更
【補正の内容】
【００１７】
本発明はまた式Ｉのキラルリガンドの製造に関する。加えて、本発明は、例えば、オレフィン、ケトン、イミン及びオキシム誘導体のための非対称水素化又は非対称移動水素化における式ＭＬａＸｂＳｃにより示される触媒の使用に関し、ここで、Ｍは、ロジウム、イリジウム及びルテニウムから選ばれる遷移金属であり、かつＸは対イオンであり、かつＳはリガンドであり、ａは０．５〜３の範囲であり、かつｂ及びｃは夫々独立して０〜２の範囲であり、ここで、Ｌは式（Ｉ）
【化６】
2004502543.tif 000004
の鏡像体に富んだキラル単座リガンドであり、ここで、Ｃｎは二つのＯ原子及びＰ原子と一緒になって２〜４個のＣ原子を持つ置換された又は置換されていない環を形成し、かつＲ１及びＲ２は上記で定義したものである。Ｃｎ及び／又はＲ１及び／又はＲ２はキラルであり又はキラル構成要素の一部である。キラルリガンドと一緒になって触媒を形成するところの適切な触媒前駆体の例は、（ＣＯＤ＝１，５シクロオクタジエン、ｎｂｄ＝ノルボルナジエン、Ｌ＝本発明のリガンドＩ、Ｓ＝上記で定義したようなリガンド）［Ｒｈ（ＣＯＤ）Ｃｌ］２、［Ｒｈ（ＣＯＤ）２］ＢＦ４、［Ｒｈ（ｎｂｄ）２］ＢＦ４、［Ｒｈ（ｎｂｄ）２］ＣｌＯ４、［Ｉｒ（ＣＯＤ）Ｃｌ］２、［Ｉｒ（ＣＯＤ）２］Ｘ（Ｘ＝ＢＦ４、ＰＦ６、ＣｌＯ４、ＳｂＦ６、ＣＦ３ＳＯ３、Ｂ（Ｃ６Ｆ５）４）、［Ｒｕ（ＣＯＤ）Ｃｌ２］ｎである。予め形成された錯体の例は、ＲｈＬ２（ＣＨ３ＯＨ）ＢＦ４、Ｒｈ（ＣＯＤ）Ｌ２ＢＦ４、ＲｕＬ２（ＯＡｃ）２、ＲｕＬ２Ｂｒ２、Ｒｕ（メチルアリル）２Ｌ２、Ｒｕ（エタ‐６‐ベンゼン）Ｌ２Ｂｒ２、Ｒｕ（エタ‐５‐シクロペンタジエニル）Ｌ２Ｃｌ、ＲｕＬＳＣｌ２、Ｒｕ（１，２‐ジフェニル‐１，２‐ジアミノエタン）ＬＣｌ２、ＩｒＬ２（ＣＨ３ＯＨ）ＰＦ６、Ｉｒ（ＣＯＤ）Ｌ２ＢＦ４である。